(57)【要約】【課題】１以上の画像生成装置及び複数の制御装置を備えた医用画像システムにおいて、生成された医用画像を読影用画像として確定する作業を効率的に行うことを可能とする。【解決手段】本発明に係る医用画像システム１によれば、制御装置２０は、ＲＩＳ／ＨＩＳ３から「確定待ち」のリスト情報を取得して表示し、「確定待ち」リストから確定処理対象の撮影オーダ情報が選択されると、選択された撮影オーダ情報に対応する医用画像の原画像、処理済み画像及び処理パラメータのデータを保存している制御装置２０の情報を取得し、この制御装置２０に、選択された撮影オーダ情報に対応するデータの送信要求を行う。要求したデータが受信されると、制御装置２０は、受信された処理済み画像を表示部に表示し、当該処理済み画像を読影画像として確定する旨が入力されると、表示された処理済み画像を読影用画像として確定し、画像サーバ４に出力する。【選択図】図１
2006280717.tif 000002
【特許請求の範囲】
【請求項１】
撮影オーダ情報を管理する管理装置と、被写体を撮影し医用画像を生成する少なくとも１以上の画像生成装置と、前記管理装置から撮影オーダ情報を取得し、撮影オーダ情報とその撮影オーダ情報に応じて生成された医用画像とを対応付ける複数の制御装置と備え、前記各装置が通信ネットワークを介してデータ送受信可能に接続された医用画像システムにおいて、
前記複数の制御装置のそれぞれは、
前記生成された医用画像に画像処理を施す画像処理手段と、
前記画像処理された医用画像の原画像、処理済み画像及び処理パラメータのデータを前記撮影オーダ情報に対応付けて保存する保存手段と、
前記処理済み画像を表示する表示手段と、
オペレータからの操作指示を入力する入力手段と、
前記入力手段を介して前記表示された処理済み画像を読影用画像として確定する旨が入力されると、この処理済み画像を読影用画像として確定し、この確定された処理済み画像を前記通信ネットワークを介して接続された画像サーバに送信する確定処理手段と、
他の前記制御装置からの要求に応じて前記医用画像の原画像、処理済み画像及び処理パラメータのデータを要求元の制御装置に送信する画像送信手段と、
を備え、
前記複数の制御装置のうち一の制御装置において、他の制御装置に保存されている医用画像の原画像、処理済み画像及び処理パラメータを取得し、当該一の制御装置及び他の制御装置に保存されている処理済み画像の読影用画像としての確定処理を可能に構成したことを特徴とする医用画像システム。
【請求項２】
前記複数の制御装置のそれぞれは、前記確定処理手段により前記画像サーバに出力された処理済み画像を前記保存手段から削除する削除手段を備え、
前記複数の制御装置のうち一の制御装置において、前記他の制御装置に保存されている医用画像の処理済み画像を読影用画像として確定した場合に、前記一の制御装置は、前記他の制御装置に対して当該確定された医用画像の処理済み画像の前記保存手段からの削除を指示し、この指示に応じて、前記他の制御装置は前記削除手段により前記処理済み画像を前記保存手段から削除することを特徴とする請求項１に記載の医用画像システム。
【請求項３】
前記管理装置は、前記画像サーバに処理済み画像が保存されていない撮影オーダ情報のリスト情報を生成し、前記各制御装置に送信可能に構成されていることを特徴とする請求項１又は２に記載の医用画像システム。
【請求項４】
前記複数の制御装置のそれぞれは、前記確定処理を行うオペレータの識別情報の入力を要求し、前記入力手段を介して前記オペレータの識別情報が入力されると、この識別情報を前記管理装置に送信するオペレータ情報送信手段を備え、
前記管理装置は、前記一の制御装置から前記オペレータの識別情報が送信されると、この送信された識別情報に基づき前記識別情報を入力したオペレータが許可されたオペレータであるか否かを認証し、前記オペレータが許可されたオペレータであると認証した場合に、前記一の制御装置に前記画像サーバに処理済み画像が保存されていない撮影オーダ情報のリスト情報を送信し、
前記一の制御装置は、前記管理装置から送信されたリスト情報を前記表示手段に表示し、前記入力手段を介して確定対象の撮影オーダ情報が選択されると、前記選択された撮影オーダ情報に対応する医用画像の原画像、処理済み画像及び処理パラメータを保存している制御装置の情報を取得して、当該制御装置に前記選択された撮影オーダ情報に対応する医用画像の原画像、処理済み画像及び処理パラメータの送信を要求することを特徴とする請求項３に記載の医用画像システム。
【請求項５】
前記一の制御装置の画像処理手段において前記他の制御装置から取得された医用画像に対し新たな処理パラメータを使用して再画像処理が施され、前記確定処理手段により前記再画像処理の結果生成された処理済み画像が読影用画像として確定された場合に、前記一の制御装置は、前記他の制御装置に対し当該再画像処理された医用画像に対する新たな処理パラメータを送信し、前記他の制御装置は、前記保存手段に保存されている当該再処理された医用画像に対応する処理パラメータを前記新たな処理パラメータに上書き保存することを特徴とする請求項１〜４の何れか一項に記載の医用画像システム。
【発明の詳細な説明】
【技術分野】
【０００１】
本発明は、医用画像を生成し出力する医用画像システムに関する。
【背景技術】
【０００２】
医療の分野では、撮影により得られた医用画像のデジタル化が実現されており、医用画像のデータ生成から出力までを担う医用画像システムが開発されている（例えば、特許文献１参照）。従来の医用画像システムは、図７に示すように、医用画像のデータを生成する複数の画像生成装置と、生成された医用画像と撮影オーダ情報とを対応付けて画像確定処理装置に送信する複数の制御装置と、制御装置から送信された医用画像に画像処理を施す画像確定処理装置とが接続されて構成されている。
【０００３】
上述の医用画像システムにおいて、画像生成装置で生成された医用画像は、制御装置において表示され、撮影技師により、撮影オーダどおりに撮影された画像であるか否か（患者情報、撮影部位、撮影体位がオーダどおりであるか等）、ポジショニングが正しいか否か等の確認が行われ、再撮影の必要がなければ画像確定処理装置へ送信される。画像確定処理装置では、各制御装置から受信された医用画像の画像処理が行われ、その画像処理された医用画像が技師により読影に適した画像として確定されると（以下、確定された画像を読影用画像という）、当該読影用画像は、画像サーバ、ＰＡＣＳ（Picture Archiving and Communication System for medical application；画像を読影用の端末等に送信するシステム）、フィルム出力装置等に送信される。
【特許文献１】特開平１０−２３２０１号公報
【発明の開示】
【発明が解決しようとする課題】
【０００４】
この読影用画像としての確定を行う技師は、確定を行う権限を有する技師（以下、確定技師という）であるが、撮影技師としての作業を兼ねて行うことも多い。
【０００５】
しかしながら、従来の医用画像システムにおいては、各制御装置において再撮影不要と判断された医用画像は画像確定処理装置に送信され、画像確定処理装置において確定技師による確定入力や画像処理の調整が行われていた。そのため、確定技師は、撮影技師としての作業を兼ねて行っている場合、作業を行っていた制御装置からわざわざ画像確定処理装置の設置場所まで出向いて確定のための作業を行わなければならず、不便であり、作業効率が悪かった。
【０００６】
本発明の課題は、１以上の画像生成装置及び複数の制御装置を備えた医用画像システムにおいて、生成された医用画像を読影用画像として確定する作業を技師が効率的に行うことができるようにすることである。
【課題を解決するための手段】
【０００７】
上記課題を解決するため、請求項１に記載の発明は、
撮影オーダ情報を管理する管理装置と、被写体を撮影し医用画像を生成する少なくとも１以上の画像生成装置と、前記管理装置から撮影オーダ情報を取得し、撮影オーダ情報とその撮影オーダ情報に応じて生成された医用画像とを対応付ける複数の制御装置と備え、前記各装置が通信ネットワークを介してデータ送受信可能に接続された医用画像システムにおいて、
前記複数の制御装置のそれぞれは、
前記生成された医用画像に画像処理を施す画像処理手段と、
前記画像処理された医用画像の原画像、処理済み画像及び処理パラメータのデータを前記撮影オーダ情報に対応付けて保存する保存手段と、
前記処理済み画像を表示する表示手段と、
オペレータからの操作指示を入力する入力手段と、
前記入力手段を介して前記表示された処理済み画像を読影用画像として確定する旨が入力されると、この処理済み画像を読影用画像として確定し、この確定された処理済み画像を前記通信ネットワークを介して接続された画像サーバに送信する確定処理手段と、
他の前記制御装置からの要求に応じて前記医用画像の原画像、処理済み画像及び処理パラメータのデータを要求元の制御装置に送信する画像送信手段と、
を備え、
前記複数の制御装置のうち一の制御装置において、他の制御装置に保存されている医用画像の原画像、処理済み画像及び処理パラメータを取得し、当該一の制御装置及び他の制御装置に保存されている処理済み画像の読影用画像としての確定処理を可能に構成したことを特徴としている。
【０００８】
請求項２に記載の発明は、請求項１に記載の発明において、
前記複数の制御装置のそれぞれは、前記確定処理手段により前記画像サーバに出力された処理済み画像を前記保存手段から削除する削除手段を備え、
前記複数の制御装置のうち一の制御装置において、前記他の制御装置に保存されている医用画像の処理済み画像を読影用画像として確定した場合に、前記一の制御装置は、前記他の制御装置に対して当該確定された医用画像の処理済み画像の前記保存手段からの削除を指示し、この指示に応じて、前記他の制御装置は前記削除手段により前記処理済み画像を前記保存手段から削除することを特徴としている。
【０００９】
請求項３に記載の発明は、請求項１又は２に記載の発明において、
前記管理装置は、前記画像サーバに処理済み画像が保存されていない撮影オーダ情報のリスト情報を生成し、前記各制御装置に送信可能に構成されていることを特徴としている。
【００１０】
請求項４に記載の発明は、請求項３に記載の発明において、
前記複数の制御装置のそれぞれは、前記確定処理を行うオペレータの識別情報の入力を要求し、前記入力手段を介して前記オペレータの識別情報が入力されると、この識別情報を前記管理装置に送信するオペレータ情報送信手段を備え、
前記管理装置は、前記一の制御装置から前記オペレータの識別情報が送信されると、この送信された識別情報に基づき前記識別情報を入力したオペレータが許可されたオペレータであるか否かを認証し、前記オペレータが許可されたオペレータであると認証した場合に、前記一の制御装置に前記画像サーバに処理済み画像が保存されていない撮影オーダ情報のリスト情報を送信し、
前記一の制御装置は、前記管理装置から送信されたリスト情報を前記表示手段に表示し、前記入力手段を介して確定対象の撮影オーダ情報が選択されると、前記選択された撮影オーダ情報に対応する医用画像の原画像、処理済み画像及び処理パラメータを保存している制御装置の情報を取得して、当該制御装置に前記選択された撮影オーダ情報に対応する医用画像の原画像、処理済み画像及び処理パラメータの送信を要求することを特徴としている。
【００１１】
請求項５に記載の発明は、請求項１〜４の何れか一項に記載の発明において、
前記一の制御装置の画像処理手段において前記他の制御装置から取得された医用画像に対し新たな処理パラメータを使用して再画像処理が施され、前記確定処理手段により前記再画像処理の結果生成された処理済み画像が読影用画像として確定された場合に、前記一の制御装置は、前記他の制御装置に対し当該再画像処理された医用画像に対する新たな処理パラメータを送信し、前記他の制御装置は、前記保存手段に保存されている当該再処理された医用画像に対応する処理パラメータを前記新たな処理パラメータに上書き保存することを特徴としている。
【発明の効果】
【００１２】
請求項１に記載の発明によれば、１以上の画像生成装置及び複数の制御装置を備えた医用画像システムにおいて、生成された医用画像を読影用画像として確定する作業をオペレータである技師が効率的に行うことが可能となる。
【００１３】
請求項２に記載の発明によれば、読影用画像として確定され、画像サーバに送信された処理済み画像を制御装置から削除することができるので、読影用画像として確定された処理済み画像が制御装置と画像サーバに重複保存されることがなくなり、制御装置の記憶部を効率的に利用することが可能となる。
【００１４】
請求項３に記載の発明によれば、画像サーバに処理済み画像が保存されていない撮影オーダ情報のリストが各制御装置に送信されるので、各制御装置において、生成された医用画像のうち、まだ読影用画像としての確定作業が行われていない撮影オーダ情報を特定することが可能となる。
【００１５】
請求項４に記載の発明によれば、医用画像システムで許可されたオペレータのみが処理済み画像を読影用画像として確定する作業を行うことが可能となり、権限のない者による確定作業を防止することが可能となる。
【００１６】
請求項５に記載の発明によれば、読影用画像として確定された処理済み画像に対応する処理パラメータを保存しておくことが可能となる。
【発明を実施するための最良の形態】
【００１７】
まず、構成を説明する。
図１に、本実施形態における医用画像システム１のシステム構成を示す。
図１に示すように、医用画像システム１は、画像生成装置１０、制御装置２０を含むＣＲネットワーク部２と、ＲＩＳ／ＨＩＳ３、画像サーバ４、出力装置５とがネットワークバスＮ１を介して互いに情報の送受信が可能に構成されている。
【００１８】
以下、各構成装置について説明する。
ＣＲネットワーク部２では、複数の画像生成装置１０、複数の制御装置２０がネットワークバスＮ２を介して接続されている。なお、各装置１０〜２０の設置台数は、特に限定しない。
【００１９】
画像生成装置１０は、例えば、ＣＲ（Computed Radiography）、ＦＰＤ（Flat Panel Detector）、ＣＴ（Computed Tomography）、ＭＲＩ（Magnetic Resonance Imaging）等のモダリティから構成され、被写体を撮影し、撮影した画像をデジタル変換して、医用画像を生成する装置である。本実施の形態においては、画像生成装置１０は、カセッテ（放射線エネルギーを蓄積する輝尽性蛍光体シートが内蔵された持ち運び可能な放射線画像変換媒体）を用いて被写体を放射線撮影する放射線画像撮影装置及びカセッテに蓄積された放射線画像情報を読み取ってデジタル画像データに変換する読取装置（以下、リーダと称する）等を備えて構成されるＣＲ装置として説明するが、ＦＰＤ、ＣＴ、ＭＲＩ等の他のモダリティを適用してもよい。なお、カセッテには、カセッテを識別するための識別情報としてのカセッテＩＤがバーコードで表示されている。
【００２０】
画像生成装置１０のリーダは、リーダの各部を制御するＣＰＵ（Central Processing Unit）、リーダ各部を制御するためのプログラムを記憶したＲＯＭ（Read Only Memory）、データの一時記憶領域となるＲＡＭ（Random Access Memory）、キーボードやマウス等の操作部、ＬＣＤ（Liquid Crystal Display）等の表示部、カセッテに表示されたバーコードを読み取るバーコードリーダ、カセッテに蓄積された放射線画像情報を読み取ってデジタル画像データに変換する画像読取部、通信用インターフェース等を備えて構成され、放射線画像撮影装置により撮影済みのカセッテが挿入されると、挿入されたカセッテに表示されたカセッテＩＤをバーコードリーダにより読み取って、読み取ったカセッテＩＤを登録した制御装置２０に読み取った医用画像のデータを送信する。
【００２１】
制御装置２０は、ＲＩＳ／ＨＩＳ３から未撮影の撮影オーダ情報（撮影する患者に関する患者情報、撮影部位や撮影方向等の撮影及び検査に関する指示情報を含む）のリストを取得し、撮影オーダ情報とそのオーダの撮影に使用するカセッテのカセッテＩＤとの対応付け登録を行う。また、画像生成装置１０により生成された医用画像をカセッテＩＤに基づき撮影オーダ情報と対応付け、生成された医用画像に画像処理を施して、当該医用画像の原画像、処理済み画像及び画像処理時の処理パラメータのデータを撮影オーダ情報に対応付けて記憶する。
【００２２】
更に、制御装置２０は、ＣＲネットワーク部２に接続されている自他の制御装置２０に記憶されている処理済み画像の読影用画像としての確定及び確定された処理済み画像の画像サーバ４への送信を行う。
【００２３】
図２に、制御装置２０の内部構成を示す。
図２に示すように、制御装置２０は、制御部２１、操作部２２、表示部２３、通信部２４、記憶部２５、ＨＤＤ（Hard Disk Drive）２６、バーコードリーダ２７等を備えて構成され、各部はバス２８により接続されている。
【００２４】
制御部２１は、ＣＰＵ、ＲＡＭ等から構成され、ＣＰＵにより記憶部２５から各種制御プログラムを読み出してＲＡＭに展開する。そして、当該プログラムに従って処理の実行を統括的に制御するとともに各種演算を行う。
【００２５】
操作部２２は、キーボードやマウス等を備えて構成され、オペレータ（ここでは、撮影技師又は確定技師）によるキー操作やマウス操作に対応する操作信号を生成して制御部２１に入力する入力手段である。
【００２６】
表示部２３は、ＬＣＤ等を備えて構成され、制御部２１の指示に従って、画像処理時の操作画面や処理後の医用画像等、各種表示を行う。
【００２７】
通信部２４は、ルータやモデム等の通信用インターフェースを備え、制御部２１の指示に従ってネットワークバスＮ２及びネットワークバスＮ１に接続された外部装置と通信を行う。
【００２８】
記憶部２５は、各種制御プログラムやプログラムにより処理の実行に必要なパラメータ、或いは処理結果等のデータを記憶している。
【００２９】
ＨＤＤ２６は、未撮影オーダリスト記憶部２６１、撮影オーダ情報記憶部２６２、原画像データ記憶部２６３、処理パラメータ記憶部２６４、処理済み画像データ記憶部２６５を有している。
未撮影オーダリスト記憶部２６１は、ＲＩＳ／ＨＩＳ３から送信される未撮影の撮影オーダ情報のリスト（以下、未撮影オーダリストという）を記憶する。
撮影オーダ情報記憶部２６２は、未撮影オーダリスト中の撮影オーダ情報に対してそのオーダに使用するカセッテのカセッテＩＤが登録されると、当該撮影オーダ情報とカセッテＩＤとを対応付けて記憶する。図３に、撮影オーダ情報記憶部２６２のデータ格納例を示す。
原画像データ記憶部２６３は、画像生成装置１０から取得された各医用画像（原画像）のデータを撮影オーダ情報を識別するための撮影ＩＤと対応付けて記憶する。
処理パラメータ記憶部２６４は、画像生成装置１０から取得された各医用画像の画像処理に使用した処理パラメータを撮影ＩＤと対応付けて記憶する。
処理済み画像データ記憶部２６５は、画像生成装置１０から取得された各医用画像に画像処理を施して得られた処理済み画像のデータを撮影ＩＤと対応付けて記憶する。
ここで、撮影オーダ情報記憶部２６２に記憶された撮影オーダ情報、その撮影オーダ情報に応じて撮影された医用画像の原画像データ、その医用画像に画像処理を施して得られた処理済み画像データ及び処理パラメータは撮影ＩＤにより対応付けされており、各撮影オーダ情報に対応するデータにアクセスすることができる。即ち、ＨＤＤ２６は、医用画像の原画像、処理済み画像及び処理パラメータのデータを撮影オーダ情報に対応付けて保存する保存手段である。
【００３０】
ＨＤＤ２６の記憶容量は、有る程度余裕を持って準備する必要がある。
通常、撮影が行われ、医用画像が生成された後、遅くとも１週間以内には医師による読影が開始される。すなわち、生成された医用画像は、１週間の間には確定技師による読影用画像としての確定作業が行われ、画像サーバ４に保存されることとなるので、原画像は生成されてから少なくとも１週間は保存が可能な記憶容量としなければならない。
【００３１】
例えば、各制御装置２０が取り扱う医用画像が一画像につき２０００画素×２５００画素で、１日１００画像程度が生成されるとすると、容量４０ＧＢのＨＤＤ（画像保存用の記憶容量は２０ＧＢとする）であれば２０００画像を約２０日保存することができる。
【００３２】
次に、ネットワークバスＮ１上の各装置３〜５について説明する。
ＲＩＳ／ＨＩＳ３は、ＣＰＵ、プログラムを記憶したＲＯＭ、ＲＡＭ、ＨＤＤ等の記憶部、操作部、表示部、通信用インターフェース等を有するコンピュータにより構成され、放射線科内又は病院内の情報を統括的に管理する管理装置である。ＲＩＳ／ＨＩＳ３は、医師からの撮影依頼を受け付けて上述した撮影オーダ情報を生成し、「未撮影」のステータス情報を対応付けて記憶部に記憶して管理するとともに、所定時間ごとに未撮影の撮影オーダ情報をネットワークバスＮ１、Ｎ２を介して各制御装置２０に送信し、各制御装置２０に記憶されている未撮影オーダリストを更新する。また、ＲＩＳ／ＨＩＳ３には各撮影オーダの作業の進捗ごとに各制御装置２０からステータス情報が送信されるようになっており、このステータス情報を撮影オーダ情報に対応付けて記憶することにより、各撮影オーダ情報の作業の進捗を管理している。ここでは、ＲＩＳ／ＨＩＳ３は、「未撮影」「撮影中」「確定待ち」「確定完了」の４つのステータスにより進捗管理を行うこととして説明する。
【００３３】
画像サーバ４は、ＣＰＵ、プログラムを記憶したＲＯＭ、ＲＡＭ、ＨＤＤ等の大容量記憶装置、通信用インターフェース等を有するコンピュータにより構成され、ＣＲネットワーク部２において読影用画像として確定された処理済み画像をその撮影オーダ情報とともに保存管理するものである。また、保存している処理済み画像の配信先を決定し、当該決定された配信先に処理画像を送信する。
【００３４】
出力装置５は、画像サーバ４により配信された処理済み画像の出力を行うものである。出力装置５としては、表示出力を行うモニタや、フィルム出力を行うフィルム出力装置等が適用可能である。
【００３５】
次に、上記医用画像システム１の動作について説明する。
図４は、医用画像システム１において医用画像が生成され保存されるまでのシーケンスを示す図である。なお、当該シーケンスにおける画像生成装置１０側処理は、画像生成装置１０のリーダに備えられたＣＰＵとＲＯＭに格納されたプログラムとの協働によるソフトウエア処理により実現される処理であり、制御装置２０側処理は、制御装置２０の制御部２１のＣＰＵと記憶部２５に格納されたプログラムとの協働によるソフトウエア処理により実現される処理であり、ＲＩＳ／ＨＩＳ３側処理は、ＲＩＳ／ＨＩＳ３のＣＰＵとＲＯＭに格納されたプログラムとの協働によるソフトウエア処理により実現される処理である。
【００３６】
図４においては、医用画像が生成され保存されるまでのシーケンスの一例として、撮影技師が、撮影作業として、制御装置２０Ａにおいて、撮影しようとする撮影オーダ情報を選択してカセッテ登録を行い、画像生成装置１０Ａにおいて、撮影および医用画像の読み取りを行うこととして説明するが、これに限定されるものではない。
【００３７】
まず、制御装置２０Ａにおいて、撮影技師による操作部２２からの操作に応じて、未撮影オーダリスト記憶部２６１から未撮影オーダリストのデータが読み出されて表示部２３に表示される（ステップＳ１）。撮影技師による操作部２２からの操作により、この未撮影オーダリストから撮影対象の撮影オーダ情報（ここでは、撮影ＩＤが１０００の撮影オーダ情報とする）が選択され（ステップＳ２）、撮影技師の操作により、選択された撮影オーダ情報に対応する撮影に使用するカセッテに表示されたバーコードがバーコードリーダ２７から読み取られ、撮影に使用するカセッテのカセッテＩＤ（ここではカセッテＩＤ０００１とする）が入力（登録）されると（ステップＳ３）、選択された撮影オーダ情報に入力されたカセッテＩＤが対応付けられ撮影オーダ情報記憶部２６２に記憶される（ステップＳ４）。そして、選択された撮影オーダ情報に対応するカセッテＩＤがＲＩＳ／ＨＩＳ３に通知される（ステップＳ５）。即ち、撮影ＩＤ１０００の撮影オーダ情報の撮影に使用するカセッテのカセッテＩＤが０００１であることがＲＩＳ／ＨＩＳ３に通知される。
【００３８】
ＲＩＳ／ＨＩＳ３においては、制御装置２０Ａからの通知情報が受信されると、記憶部に記憶された撮影オーダ情報（撮影ＩＤ：１０００）に、通知されたカセッテＩＤ（０００１）及び通知情報を送信した送信元の制御装置２０の装置ＮＯ．（２０Ａ）が対応付けて記憶され（ステップＳ６）、当該撮影オーダ情報に対応付けて記憶されたステータス情報が「未撮影」から「撮影中」に変更される（ステップＳ７）。
【００３９】
制御装置２０Ａにおける撮影に使用するカセッテの登録が終了し、撮影技師により、登録されたカセッテ（カセッテＩＤ０００１のカセッテ）を用いて被写体の撮影が行われ、画像生成装置１０Ａのリーダに撮影済みのカセッテが挿入されると（ステップＳ８）、画像生成装置１０ＡのバーコードリーダによりカセッテＩＤが読み取られ（ステップＳ９）、当該カセッテのカセッテＩＤがＲＩＳ／ＨＩＳ３に送信され、当該カセッテを登録した制御装置ＮＯ．がＲＩＳ／ＨＩＳ３に問い合わせされる（ステップＳ１０）。
【００４０】
ＲＩＳ／ＨＩＳ３において、画像生成装置１０Ａから送信されたカセッテＩＤを登録した制御装置ＮＯ.の問い合わせが受信されると、記憶部が検索され、送信されたカセッテＩＤを登録した制御装置２０の制御装置ＮＯ．が画像生成装置１０Ａに返信される（ステップＳ１１）。
【００４１】
画像生成装置１０Ａにおいては、制御装置ＮＯ．が受信されると、画像読取部において挿入されたカセッテに蓄積された放射線画像の読み取りが行われ（ステップＳ１２）、得られた医用画像の画像データ及びカセッテＩＤが、ステップＳ１０における問い合わせの結果返信された制御装置ＮＯ．の制御装置２０（ここでは、制御装置２０Ａ）に送信される（ステップＳ１３）。
【００４２】
制御装置２０Ａにおいて、画像生成装置１０Ａから医用画像の画像データ及びカセッテＩＤが受信されると、受信されたカセッテＩＤに対応する撮影オーダ情報（ここでは撮影ＩＤ１０００の撮影オーダ情報）が撮影オーダ情報記憶部２６２から検索され、検索された撮影オーダ情報の撮影ＩＤと受信された画像データが対応付けられて原画像データ記憶部２６３に記憶されることにより、撮影オーダ情報と医用画像のデータとの対応付けが行われる（ステップＳ１４）。撮影オーダ情報と医用画像のデータとが対応付けられると、ＲＩＳ／ＨＩＳ３に当該撮影オーダ情報に対する撮影完了が通知される（ステップＳ１５）。
【００４３】
ＲＩＳ／ＨＩＳ３においては、制御装置２０Ａからの撮影完了通知が受信されると、記憶部に記憶された撮影オーダ情報（撮影ＩＤ：１０００）に対応付けて記憶されたステータス情報が「撮影中」から「確定待ち」に変更される（ステップＳ１６）。
【００４４】
制御装置２０Ａにおいては、ＲＩＳ／ＨＩＳ３に撮影完了を通知後、表示部２３に受信された医用画像が表示される（ステップＳ１７）。医用画像とともに、表示部２３には、再撮影の要否を入力するための操作ボタンが表示される。撮影技師は、この表示部２３に表示された医用画像からポジショニング等を確認し、再撮影の必要があるか否かの判断を行うことができる。撮影技師による操作部２２からの操作により、再撮影が必要である旨が入力されると（ステップＳ１８；要）、処理はステップＳ２１に移行し、再撮影が行われる。撮影技師による操作部２２からの操作により、再撮影が不要である旨が入力されると（ステップＳ１８；不要）、ステップＳ１４で受信された医用画像の画像データに階調処理、周波数処理等の画像処理が施され（ステップＳ１９：画像処理手段）、処理済み画像の画像データが撮影ＩＤ（ＩＤ：１０００）と対応付けられて処理済み画像データ記憶部２６５に保存されるとともに、画像処理に使用された処理パラメータのデータが撮影ＩＤと対応付けられて処理パラメータ記憶部２６４に保存され（ステップＳ２０）、本処理は終了する。
【００４５】
以上説明したシーケンスと同様の手順により、医用画像システム１の各制御装置２０には、その装置で選択され、カセッテ登録が行われた撮影オーダ情報に対応する医用画像の原画像データ、処理済みの画像データ、処理パラメータが撮影オーダ情報に対応付けて保存される。
【００４６】
各制御装置２０に保存された各処理済み画像は、技師により、医師による読影診断に適した画像であるか否かが判断され、読影診断に適した画像であると判断され読影用画像として確定されると、確定された処理済み画像が画像サーバ４に送信され、保存されることとなる。この読影用画像としての確定を行う技師は、確定を行う権限を有する確定技師であり、確定技師は、上述したシーケンスにおける撮影技師としての作業（操作）を兼ねることが多い。しかしながら、従来の医用画像システムにおいては、図７で説明したように、各制御装置において再撮影不要と判断された医用画像は画像確定処理装置に送信され、画像確定処理装置において確定技師による確定入力や画像処理の調整が行われていた。そのため、確定技師は、撮影技師としての作業を兼ねて行っている場合、わざわざ読影用画像の確定を行うために画像確定処理装置の設置場所まで出向かなければならず、不便であり、効率が悪かった。
【００４７】
これに対し、本実施の形態における医用画像システム１においては、確定技師が、任意の制御装置２０において、何れかの制御装置２０に保存されまだ読影用画像として確定していない処理済み画像を表示して、読影用画像としての確定入力や画像処理の調整等の確定作業を行うことが可能な構成となっている。
【００４８】
図５、６は、医用画像システム１において各制御装置２０に保存された処理済みの医用画像が読影用画像として確定され、画像サーバ４に保存されるまでのシーケンスを示す図である。
【００４９】
図５、６においては、確定技師が、制御装置２０Ｂにおいて、図４に示したシーケンスで制御装置２０Ａに保存された処理済み画像の確定作業を行うこととして説明するが、この確定処理は、任意の制御装置２０から、何れの制御装置２０に保存されている処理済み画像に対しても行うことが可能である。
【００５０】
当該シーケンスにおける制御装置２０Ａ側処理は、制御装置２０Ａの制御部２１のＣＰＵと記憶部２５に格納されたプログラムとの協働によるソフトウエア処理により実現される処理であり、制御装置２０Ｂ側処理は、制御装置２０Ｂの制御部２１のＣＰＵと記憶部２５に格納されたプログラムとの協働によるソフトウエア処理により実現される処理であり、ＲＩＳ／ＨＩＳ３側処理は、ＲＩＳ／ＨＩＳ３のＣＰＵとＲＯＭに格納されたプログラムとの協働によるソフトウエア処理により実現される処理である。
【００５１】
まず、制御装置２０Ｂにおいて、操作部２２からの操作により、確定作業の実施が指示されると、表示部２３にオペレータＩＤ（オペレータの識別情報）の入力を要求するオペレータＩＤ入力画面が表示され、この画面からオペレータＩＤが入力されると（ステップＴ１）、当該オペレータＩＤ及び「確定待ち」リスト取得要求がＲＩＳ／ＨＩＳ３に送信される（ステップＴ２：オペレータ情報送信手段）。
【００５２】
ＲＩＳ／ＨＩＳ３においては、制御装置２０Ｂから送信されたオペレータＩＤ及び「確定待ち」リスト取得要求が受信されると、入力されたオペレータＩＤが確定作業を許可された確定技師のオペレータＩＤであるか否かの認証が行われ、入力されたオペレータＩＤが確定作業を許可された確定技師のオペレータＩＤであると認証されると（ステップＴ３；ＹＥＳ）、記憶部から「確定待ち」のステータス情報が対応付けられている撮影オーダ情報、即ち、処理済み画像が未だ画像サーバ４に保存されていない撮影オーダ情報が抽出され、「確定待ち」リストの情報が生成され（ステップＴ４）、制御装置２０Ｂに送信される（ステップＴ５）。なお、「確定待ち」リストの情報には、図４のステップＳ６で各撮影オーダ情報に対応付けられた制御装置ＮＯ．が含まれており、制御装置２０Ｂは、この「確定待ち」リストから確定待ちの各処理済み画像、これに対応する原画像、処理パラメータのデータを保存している制御装置２０を特定することができる。
一方、ステップＴ３において、入力されたオペレータＩＤが確定作業を許可された確定技師のオペレータＩＤであると認証されなかった場合、本処理は終了する。
【００５３】
制御装置２０Ｂにおいて、ＲＩＳ／ＨＩＳ３からの「確定待ち」リストの情報が受信されると、表示部２３に「確定待ち」リストが表示される（ステップＴ６）。オペレータＩＤを入力した確定技師による操作部２２の操作により、表示された「確定待ち」リストから確定作業対象の撮影オーダ情報（ここでは、撮影ＩＤ１０００の撮影オーダ情報）が選択されると（ステップＴ７）、選択された撮影オーダ情報に対応する画像データ等（選択された撮影オーダ情報に対応する医用画像の処理済み画像、原画像、処理パラメータのデータ）が保存されている制御装置ＮＯ．が取得され（ステップＴ８）、取得された制御装置ＮＯ．の制御装置２０（制御装置２０Ａ）に、選択された撮影オーダ情報に対応する画像データ等（処理済み画像、原画像、処理パラメータのデータ）が要求される（ステップＴ９）。
【００５４】
制御装置２０Ａにおいて、撮影オーダ情報のデータ要求が受信されると、要求されたデータがＨＤＤ２６から読み出され、要求元の制御装置２０Ｂに送信される（ステップＴ１０：画像送信手段）。
【００５５】
制御装置２０Ｂにおいて、制御装置２０Ａから要求したデータ、即ち、処理済み画像、原画像、及び処理パラメータのデータが受信されると、処理済み画像が表示部２３に表示される（ステップＴ１１）。処理済み画像とともに、表示部２３には、当該処理済み画像の読影用画像としての確定を指示する操作ボタン及び処理パラメータを変更するための操作ボタンが表示される。確定技師は、この表示部２３に表示された処理済み画像が読影に適した画質を有するか否かを確認し、読影用画像として確定するか又は処理パラメータを調整して再画像処理を行う必要があるかの判断を行うことができる。確定技師による操作部２２からの操作により確定する旨が入力されると（ステップＴ１２；ＹＥＳ）、処理はステップＴ１４に移行する。確定技師による操作部２２からの操作により、処理パラメータの変更が入力されると（ステップＴ１２；ＮＯ）、確定技師による操作部２２からの処理パラメータ変更操作に応じて処理パラメータが変更されて画像処理（再画像処理）が施され、表示部２３に表示され（ステップＴ１３）、処理はステップＴ１２に戻る。確定技師による操作部２２からの操作により確定する旨が入力されると（ステップＴ１２；ＹＥＳ）、処理はステップＴ１４に移行する。
【００５６】
ステップＴ１４においては、表示された処理済み画像が読影用画像として確定され、その画像データのヘッダに撮影オーダ情報が書き込まれ、画像サーバ４へ送信される（確定処理手段）。画像サーバ４においては、受信された画像データが画像ＤＢに、撮影オーダ情報が管理用ＤＢに格納され、保存される。画像サーバ４への確定された処理済み画像の画像データの送信後、制御装置２０Ｂにおいては、ＲＩＳ／ＨＩＳ３に、ステップＴ７で選択された撮影オーダ情報に対する確定作業の完了通知が送信される（ステップＴ１５）。ＲＩＳ／ＨＩＳ３においては、確定作業完了通知が受信されると、当該撮影オーダ情報のステータス情報が「確定完了」に変更される（ステップＴ１６）。
【００５７】
また、制御装置２０Ｂにおいては、制御装置２０Ａに対して、ステップＴ７で選択された撮影オーダ情報の撮影ＩＤが送信され、当該撮影ＩＤに対応する処理済み画像の画像データの削除要求が行われる。また、処理パラメータが変更された場合には、変更された新たな処理パラメータが併せて送信される（ステップＴ１７）。
【００５８】
制御装置２０Ａにおいては、撮影ＩＤ及び削除要求が受信されると、処理パラメータが併せて受信されたか否かが判断され、処理パラメータが受信された場合には（ステップＴ１８）、処理パラメータ記憶部２６４において受信された撮影ＩＤに対応付けて記憶されている処理パラメータが受信された処理パラメータに上書き保存され（ステップＴ１９）、受信された撮影ＩＤに対応付けて処理済み画像データ記憶部２６５に記憶されている処理済みの画像データが削除され（ステップＴ２０：削除手段）、本シーケンスは終了する。
【００５９】
なお、制御装置２０Ｂにおいては、ステップＴ１７を行った後、表示部２３に「確定待ち」リスト（確定作業を行った撮影オーダ情報を除く）を表示し、別の撮影オーダ情報を選択して確定作業を行うことができる。
【００６０】
以上説明したように、医用画像システム１によれば、どの制御装置２０からでも、医用画像システム１００の何れかの制御装置２０に保存されている医用画像の処理済み画像を呼び出して確定作業を行うことができるので、確定技師は、わざわざ確定作業をするための装置まで出向く必要がなく、撮影作業を行っている制御装置２０において確定作業を効率的に行うことができ、利便性が向上する。
【００６１】
なお、本実施形態における医用画像システム１は、本発明を適用した好適な一例であり、これに限定されるものではない。
【００６２】
例えば、上記実施の形態においては、一の制御装置２０（２０Ｂ）において、他の制御装置２０（２０Ａ）に保存されている医用画像についての確定処理を行う場合を例にとり説明したが、各制御装置２０は、その制御装置のＨＤＤ２６に保存されている医用画像についても確定処理を行うことができる。この場合、図５のステップＴ９において、選択された撮影オーダ情報に対応付けて記憶されている医用画像の原画像、処理済み画像及び処理パラメータのデータをＨＤＤ２６から読み出し、ステップＴ１１において、読み出された処理済み画像を表示部２３に表示して確定処理を行い、図６のステップＴ１７において、確定された処理済み画像の画像データを削除し、処理パラメータの変更があれば、ＨＤＤ２６に記憶されている処理パラメータを新たな処理パラメータで上書き保存するようにすればよい。
【００６３】
また、上記実施の形態においては、管理装置としての機能を撮影オーダ情報を生成するＲＩＳ／ＨＩＳ３に適用した場合を例にとり説明したが、ＲＩＳ／ＨＩＳ３とは別の専用の管理装置を設けるよういしてもよい。
【００６４】
また、上記実施形態では、撮影にカセッテを使用し、画像生成装置１０としてカセッテのリーダを適用した例を説明したが、これに限らず、ＦＰＤを用いることとしてもよい。この場合、制御装置２０において撮影オーダ情報を登録する際に、その撮影に使用するＦＰＤのＩＤを登録し、このＩＤをキーとしてＦＰＤは、撮影オーダ情報が登録された制御装置２０に医用画像を戻すことができる。
【００６５】
その他、医用画像システム１を構成する各装置の細部構成及び細部動作に関しても、本発明の趣旨を逸脱することのない範囲で適宜変更可能である。
【図面の簡単な説明】
【００６６】
【図１】本発明に係る医用画像システム１の全体構成を示す図である。
【図２】図１の制御装置２０の機能的構成を示すブロック図である。
【図３】図２の撮影オーダ情報記憶部２６２におけるデータ格納例を示す図である。
【図４】図１の医用画像システム１において医用画像が生成され保存されるまでのシーケンスを示す図である。
【図５】図１の医用画像システム１において各制御装置２０に保存された処理済みの医用画像が読影用画像として確定され、画像サーバ４に保存されるまでのシーケンスを示す図である。
【図６】図１の医用画像システム１において各制御装置２０に保存された処理済みの医用画像が読影用画像として確定され、画像サーバ４に保存されるまでのシーケンスを示す図である。
【図７】従来の医用画像システムの構成を示す図である。
【符号の説明】
【００６７】
１  医用画像システム
２  ＣＲネットワーク部
１０  画像生成装置
２０  制御装置
３  ＲＩＳ／ＨＩＳ
４  画像サーバ
５  出力装置
２１  ＣＰＵ
２２  操作部
２３  表示部
２４  通信部
２５  記憶部
２６  ＨＤＤ
２７  バーコードリーダ
２８  バス
【図１】
2006280717.tif 000003
【図２】
2006280717.tif 000004
【図３】
2006280717.tif 000005
【図４】
2006280717.tif 000006
【図５】
2006280717.tif 000007
【図６】
2006280717.tif 000008
【図７】
2006280717.tif 000009